(57)【要約】      （修正有）【課題】主に歯科用材料の混合練和に用いる攪拌機の逆止弁として、十分な逆止効果を有し、構造が簡単で小型化が可能であると共に、使用後の被攪拌物をふき取り易く清掃性に優れた構造の逆止弁を提供する。【解決手段】少なくとも二種類の被攪拌物Ｐを攪拌機のミキサー部Ｍ内にそれぞれ吐出すると共にミキサー部Ｍ内に吐出された被攪拌物Ｐを回転軸Ｌに挿入係合された撹絆棒Ｗに突設された複数の攪拌羽根Ｗａを回転駆動させることによりミキサー部Ｍ内で混合練和する攪拌機に於いて、被攪拌物Ｐをミキサー部Ｍ内へ供給するためにミキサー装着部Ｃの端面の回転軸Ｌ周囲に各々が離れて配された吐出口Ｅ上に、各々の吐出口Ｅに対応させて攪拌羽根Ｗａの回転方向に向けた円弧状の切り込み部１ａが設けられた弾性板１が配置されていることを特徴とする攪拌機用逆止弁とする。【選択図】図１
0003103084.tif 000002
【実用新案登録請求の範囲】
【請求項１】
少なくとも二種類の被攪拌物Ｐを攪拌機のミキサー部Ｍ内にそれぞれ吐出すると共にミキサー部Ｍ内に吐出された被攪拌物Ｐを回転軸Ｌに挿入係合された撹絆棒Ｗに突設された複数の攪拌羽根Ｗａを回転駆動させることによりミキサー部Ｍ内で混合練和する攪拌機に於いて、被攪拌物Ｐをミキサー部Ｍ内へ供給するためにミキサー装着部Ｃの端面の回転軸Ｌ周囲に各々が離れて配された吐出口Ｅ上に、各々の吐出口Ｅに対応させて攪拌羽根Ｗａの回転方向に向けた円弧状の切り込み部１ａが設けられた弾性板１が配置されていることを特徴とする攪拌機用逆止弁。
【請求項２】
二種類の被攪拌物（Ｐｘ、Ｐｙ）を攪拌機のミキサー部Ｍ内にそれぞれ吐出すると共にミキサー部Ｍ内に吐出された被攪拌物（Ｐｘ、Ｐｙ）を回転軸Ｌに挿入係合された撹絆棒Ｗに突設された複数の攪拌羽根Ｗａを回転駆動させることによりミキサー部Ｍ内で混合練和する攪拌機に於いて、被攪拌物（Ｐｘ、Ｐｙ）をミキサー部Ｍ内へ供給するためにミキサー装着部Ｃの端面の回転軸Ｌ周囲に各々が離れて配された吐出口（Ｅｘ、Ｅｙ）上に、各々の吐出口（Ｅｘ、Ｅｙ）に対応させて攪拌羽根Ｗａの回転方向に向けた円弧状の切り込み部１ａが設けられた弾性板１が配置されていることを特徴とする攪拌機用逆止弁。
【請求項３】
更に弾性板１上に、各々の切り込み部１ａの円弧と対応する円と略同形の孔部２ａが設けられた剛板２が密接して配置される請求項１または２に記載の攪拌機用逆止弁。
【請求項４】
切り込み部１ａが半円弧状である請求項１ないし３の何れか一項に記載の攪拌機用逆止弁。
【請求項５】
切り込み部１ａが半円弧状及び孔部２ａが半円形である請求項１ないし４の何れか一項に記載の攪拌機用逆止弁。
【考案の詳細な説明】
【技術分野】
【０００１】
本考案は攪拌機用の逆止弁に関する考案である。更に詳細には、歯科用印象材などのペースト状の被攪拌物を混合して練和する際に用いる攪拌機用の逆止弁として好適なものである。
【背景技術】
【０００２】
一般に攪拌機は、ペースト状の歯科用印象材などの被攪拌物Ｐである流動性のある例えば二種類のペースト状の被攪拌物（Ｐｘ，Ｐｙ）を、それらが収められている各容器（Ｂｘ、Ｂｙ）から攪拌機のミキサー装着部Ｃの端面に、それぞれが離れて設けられている吐出口（Ｅｘ、Ｅｙ）に導かれ各吐出口Ｅから被攪拌物（Ｐｘ，Ｐｙ）をミキサー部Ｍ内に吐出すると共にミキサー部Ｍ内に吐出された被攪拌物（Ｐｘ，Ｐｙ）を回転軸Ｌに挿入係合された攪拌棒Ｗに突設された複数の攪拌羽根Ｗａを回転駆動させることによりミキサー部Ｍ内で混合練和する。このとき、被攪拌物Ｐの供給を終了した時や一時停止または一方の被攪拌物Ｐの原料切れなどの理由により被攪拌物Ｐの一部が吐出口Ｅを逆流することがある。
【０００３】
被攪拌物Ｐは、例えば歯科用のペースト状アルギン酸系印象材のように二種の異なる材料である被攪拌物（Ｐｘ，Ｐｙ）を混合してその化学反応により硬化するのであるから、例えば、供給の一時停止などの理由により一方の被攪拌物Ｐｘが、他方の被攪拌物Ｐｙの吐出口Ｅｙを経て逆流してしまうと吐出口Ｅｙの内部近傍で硬化してしまいその後の攪拌機の使用に支障を来してしまうという問題がある。
【０００４】
この問題に対して、他の分野で一般に用いられているリフト型、ストング型、ボール型或はストップ型などの逆止弁を用いる方法もあるが、これらの逆止弁は構造が複雑で小型化が困難であるために吐出口近傍に設置することが難しく、またコスト的にも不利であった。弾性板に半円弧状の切り込み部を回転軸に向けて設けた逆止弁も提案されているが（特許文献１参照。）、被攪拌物の逆流を防ぐ効果が十分ではなく、また、各逆止弁が回転軸を向いて配されているために使用後に吐出口近傍に残った被攪拌物をふき取り難く清掃性が悪いという問題があった。
【０００５】
【特許文献１】実開平６−５７４２２号公報
【考案の開示】
【考案が解決しようとする課題】
【０００６】
そこで本考案は、主に歯科用材料の混合練和に用いる攪拌機の逆止弁として、十分な逆止効果を有し、構造が簡単で小型化が可能であると共に、使用後の被攪拌物をふき取り易く清掃性に優れた構造の逆止弁を提供することを課題とする。
【課題を解決するための手段】
【０００７】
本考案者は鋭意検討の結果、従来の弾性板に半円弧状の切り込み部を回転軸に向けて設けた逆止弁を、それぞれ回転軸に向かってではなく攪拌羽根Ｍの回転方向に向けて張り出した円弧状の切り込み部とすると、優れた逆止効果に加えて使用後の被攪拌物のふき取り作業も極めて容易に行えることを究明し本考案を完成したのである。
【０００８】
即ち本考案は、少なくとも二種類の被攪拌物Ｐを攪拌機のミキサー部Ｍ内にそれぞれ吐出すると共にミキサー部Ｍ内に吐出された被攪拌物Ｐを回転軸Ｌに挿入係合された撹絆棒Ｗに突設された複数の攪拌羽根Ｗａを回転駆動させることによりミキサー部Ｍ内で混合練和する攪拌機に於いて、被攪拌物Ｐをミキサー部Ｍ内へ供給するためにミキサー装着部Ｃの端面の回転軸Ｌ周囲に各々が離れて配された吐出口Ｅ上に、各々の吐出口Ｅに対応させて攪拌羽根Ｗａの回転方向に向けた円弧状の切り込み部１ａが設けられた弾性板１が配置されていることを特徴とする攪拌機用逆止弁であり、被攪拌物Ｐが二種類であることが好ましい攪拌機用逆止弁である。また、弾性板１上に、各々の切り込み部１ａの円弧と対応する円と略同形の孔部２ａが設けられた剛板２が密接して配置されることも好ましく、更に切り込み部１ａが半円弧状の切り込みであり、より好ましくは更に孔部２ａが半円形である攪拌機用逆止弁である。
【考案の効果】
【０００９】
本考案に係る攪拌機用逆止弁は、構造が簡単であるために小型化が可能であり、従来の弾性板に半円弧状の切り込み部を回転軸に向けて設けた逆止弁と比較して、優れた逆止効果に加えて使用後の被攪拌物のふき取り作業も極めて容易に行える攪拌機用逆止弁である。
【考案を実施するための最良の形態】
【００１０】
以下、図面により本考案に係る攪拌機用逆止弁について詳細に説明する。
図１は本考案に係る攪拌機用逆止弁を利用する攪拌機の構造の１例を模式的に示す説明図。図２は攪拌機のミキサー装着部へ本考案に係る攪拌機用逆止弁を取り付ける状態を模式的に示す説明図。図３は攪拌機のミキサー装着部へ本考案に係る攪拌機用逆止弁を取り付ける状態を模式的に示す他の実施例の説明図である。
【００１１】
図１は本考案に係る攪拌機用逆止弁を利用する攪拌機の構造の１例を模式的に示した説明図である。図１に示した攪拌機では、二種類の被攪拌物（Ｐｘ、Ｐｙ）がミキサー装着部Ｃに突設されている係合片Ｃａによって装着されているミキサー部Ｍ内に、ミキサー装着部Ｃの端面の回転軸Ｌ周囲に各々が離れて配された異なる吐出口（Ｅｘ、Ｅｙ）から吐出される。その後、ミキサー部Ｍ内に吐出された被攪拌物（Ｐｘ、Ｐｙ）が回転軸Ｌに挿入係合された回転駆動している撹絆棒Ｗに突設された複数の攪拌羽根Ｗａの回転によりミキサー部Ｍ内で混合練和されるのである。
【００１２】
図面中の１は弾性板であり、図２に示すように被攪拌物Ｐをミキサー部Ｍ内へ供給するためにミキサー装着部Ｃの端面の回転軸Ｌ周囲に各々が離れて配された複数（図１〜３の場合には２つ）の吐出口Ｅの位置に対応して攪拌羽根Ｗａの回転方向に向けた複数（図１〜３の場合には２つ）の円弧状の切り込み部１ａが設けられている。被攪拌物（Ｐｘ，Ｐｙ）が吐出口（Ｅｘ、Ｅｙ）から吐出される際に、攪拌羽根Ｗａの回転方向に向けて吐出させることによって、攪拌羽根Ｗａの回転に添って被攪拌物（Ｐｘ，Ｐｙ）が送り出されていくので従来の切り込み部を回転軸に向けて設けた逆止弁と比較して良好な逆止効果を有するのである。また、使用後の清掃の際には、一方の回転方向のみに対して余剰の被攪拌物Ｐをふき取れば良いので回転軸に向けて設けられていた従来の逆止弁と比較すると清掃性が飛躍的に向上するのである。なお、図２及び図３中の１ｂ，Ｃｂ，２ｂは回転軸Ｌが挿通される回転軸用孔であり、３は取り付けネジ用孔である。
【００１３】
弾性板１の材質としては、弁として機能するものであれば、シリコンゴム、ブチルゴム、ニトリルブタジェンゴム、天然ゴムなどの各種ゴム、ポリエチレン、ポリウレタン、ナイロン、ポリプロピエン、塩化ビニルなどの一般的な各種樹脂材料を自由に用いることができる。
【００１４】
本考案に係る攪拌機用逆止弁は、図３に示すように、弾性板１上に該各々の切り込み部１ａの円弧に略対応する円形の孔２ａが設けられた剛板２がネジなどを利用して密接して配置されることが好ましく、この剛板２によって逆止弁としての機能がより安定して得られるのである。即ち、柔軟性のある弾性板１だけでは切り込み部１ａだけでなくその周辺の弾性板１も被攪拌物Ｐの圧力によって変形してしまう虞があるために、弾性板１を覆うようにして該各々の切り込み部１ａの円弧と対応する円と略同形の孔２ａが設けられた剛板２で孔２ａを除く部分の弾性板１の余計な変形を防止するのである。剛板２を用いずに弾性板１の厚みを切り込み部１ａ周辺を除いて十分な強度を得られるほど厚くすることで弾性板１の余計な変形を防止しても良いのは言うまでもない。
【００１５】
剛板２の孔２ａの形状は、それと対応する切り込み部１ａの動きを妨げないことが重要であり、対応する切り込み部１ａの円弧と対応する円と同形であることが好ましい。また、孔２ａは、それと対応する切り込み部１ａの動きを妨げず、対応する切り込み部１ａの形状と略一致していることが好ましいので、円弧状の切り込み部１ａが半円弧状である場合には孔２ａも同様に半円形であることが最も好ましい様態である。
【００１６】
剛板２の材質としては、一般に、各種のステンレス鋼、鉄、真鍮などの金属やポリプロピレン、ＡＢＳ樹脂などの樹脂が特に限定されずに使用できる。また、弾性板１及び剛板２は、通常、ネジ用孔３を利用して吐出口Ｅ面上に積層して密接配置される。
【００１７】
弾性板１は、円弧状の切り込み部１ａが弁として作用するため、前述の如き弾性を有する材料で作られた板であり、円弧状の切り込み部１ａは半円弧を越えて過大に切り込むと弁が開き過ぎ逆止効果が得られ難く、また逆に半円弧未満の切り込みで過小に切り込むと被攪拌物Ｐが吐出され難くなる傾向があるので、半円弧状の切り込みであることが最も好ましい。なお、本考案に於ける円弧状の切り込み部は、機能の面から考慮しても必ずしも真円の一部の周辺である必要はなく、楕円又はこれら類似形状の弧状であれば良いことは勿論である。
【図面の簡単な説明】
【００１８】
【図１】本考案に係る攪拌機用逆止弁を利用する攪拌機装置の構造の１例を模式的に示す説明図。
【図２】攪拌機のミキサー装着部へ本考案に係る攪拌機用逆止弁を取り付ける状態を模式的に示す説明図。
【図３】攪拌機のミキサー装着部へ本考案に係る攪拌機用逆止弁を取り付ける状態を模式的に示す他の実施例の説明図。
【符号の説明】
【００１９】
１  弾性板
１ａ  切り込み部
１ｂ  回転軸用孔
２  剛板２
２ａ  孔
２ｂ  回転軸用孔
３  ネジ用孔
Ｂｘ，Ｂｙ  容器
Ｃ  ミキサー装着部
Ｃａ係合片
Ｃｂ回転軸用孔
Ｅｘ，Ｅｙ  吐出口
Ｍ  ミキサー部
Ｐｘ，Ｐｙ  被攪拌物
Ｗ  攪拌棒
Ｗａ  攪拌羽根
【図１】
0003103084.tif 000003
【図２】
0003103084.tif 000004
【図３】
0003103084.tif 000005